(57)【要約】【課題】携帯通信端末装置の通信方法に関する規格の相違や携帯通信端末装置の電話会社のサービス圏に拘泥せずに、携帯通信端末装置に送受信された画像情報を含む電子メールの前記画像情報と、携帯通信端末装置に送信された通話および／または電子メールの着信情報の取得と管理を簡単且つ確実に行うことができる携帯通信端末装置の通信データの管理方法と、これらの携帯通信端末装置の通信データの管理方法を実行するために必要な各種装置や記録媒体を提供すること。【解決手段】携帯通信端末装置から送信される電子メールの文字情報に添付され、あるいは、前記文字情報とリンクされた画像情報を前記電子メールから取得し、インターネット上のデータベース装置に格納して、前記電子メールの送受信者を含むアクセス権限者が前記画像情報にアクセス可能に管理する。【選択図】      図１
2004318292.tif 000002
【特許請求の範囲】
【請求項１】
携帯通信端末装置から送信される電子メールの文字情報に添付され、あるいは、前記文字情報とリンクされた画像情報を前記電子メールから取得し、インターネット上のデータベース装置に格納して、前記電子メールの送受信者を含むアクセス権限者が前記画像情報にアクセス可能に管理することを特徴とする携帯通信端末装置の通信データの管理方法。
【請求項２】
携帯通信端末装置に送信された通話および／または電子メールの着信情報をインターネット上のデータベース装置に格納し、前記携帯通信端末装置の所有者が前記着信情報にアクセス可能に管理することを特徴とする携帯通信端末装置の通信データの管理方法。
【請求項３】
所定のサーバ内に格納される画像情報と、前記所定のサーバ内の前記画像情報のアドレスを含む文字情報とを有する電子メールの前記文字情報を取得するメール受信部と、
前記画像情報のアドレスを前記メール受信部が取得した文字情報から取得する画像アドレス情報取得部、前記画像アドレス情報取得部が取得した画像情報のアドレスに基づいて前記所定のサーバにアクセスし前記画像情報を取得する画像情報取得部、および、前記画像情報取得部が取得した画像情報を前記メール受信部が取得した文字情報と対応させてデータベース装置に格納する画像格納部を有する画像取得部と
を備えたことを特徴とする電子メールサーバ装置。
【請求項４】
所定のサーバ内のホームページに格納される画像情報と、前記サーバ内の前記画像情報を格納するホームページのアドレスを含む文字情報とからなる電子メールの前記文字情報を取得するメール受信部と、
前記サーバ内の前記画像情報が格納されたホームページのアドレスを、前記メール受信部が取得した前記文字情報から取得するホームページアドレス情報取得部、前記ホームページアドレス情報取得部が取得したホームページのアドレスに基づいて前記サーバにアクセスし、ホームページ情報を取得するホームページ情報取得部、前記ホームページ内にある画像情報のアドレスを前記ホームページ情報取得部が取得したホームページ情報から取得する画像アドレス情報取得部、画像アドレス情報取得部が取得した画像情報のアドレスに基づいて前記サーバにアクセスし画像情報を取得する画像情報取得部、および、前記画像情報取得部が取得した画像情報を前記メール受信部が取得した文字情報と対応させデータベース装置に格納する画像格納部とを有する画像取得部と
を備えたことを特徴とする電子メールサーバ装置。
【請求項５】
前記画像取得部に、前記メール受信部が取得した情報が、前記画像リンク電子メールであるか、あるいは、画像情報を文字情報に添付した画像添付電子メールであるかを判断し、前記画像リンク電子メールである場合には前記画像取得部へ振り分け、前記画像添付電子メールである場合には添付画像取得部へ振り分けるメール識別部、および、前記画像添付電子メールから添付画像を取得して前記画像格納部へ送信する添付画像取得部をさらに備えたことを特徴とする請求項３または請求項４に記載の電子メールサーバ装置。
【請求項６】
電子メールの文字情報には、当該電子メールの送り手のメールアドレスを含むことを特徴とする請求項３に記載の電子メールサーバ装置。
【請求項７】
カメラ機能を有し、前記カメラ機能により作成した画像情報を送信可能な携帯通信端末装置のコネクタ端子に装着して使用する携帯通信端末装置の自動操作装置であって、
前記携帯通信端末装置のコネクタ端子を介して前記携帯通信端末装置と電気的に接続されるコネクタ部と、
前記コネクタ部が前記携帯通信端末装置のコネクタ端子に接続されたことを検出する接続検出部と、
前記携帯通信端末装置から画像を送信する場合の送信先アドレス情報を格納するアドレスメモリ部と、
前記携帯通信端末装置から画像を送信させるための処理が記載されたプログラムが格納されたプログラムメモリ部と、
前記接続検出部が、前記コネクタ部と前記コネクタ端子が接続されたことを検出すると、前記送信先アドレス情報と前記プログラムメモリ部に格納されたプログラムに基づいて、前記コネクタ部を介して前記携帯通信端末装置に対して画像送信処理を行うプロセッサ部と
を有することを特徴とする携帯通信端末装置の自動操作装置。
【請求項８】
カメラ機能を有し、前記カメラ機能により作成した画像情報を送信可能な携帯通信端末装置のコネクタ端子に装着して使用する携帯通信端末装置の自動操作装置であって、
前記携帯通信端末装置のコネクタ端子を介して前記携帯通信端末装置と電気的に接続されるコネクタ部と、
前記コネクタ部が前記携帯通信端末装置のコネクタ端子に接続されたことを検出する接続検出部と、
前記接続検出部が、前記コネクタ部と前記コネクタ端子が接続されたことを検出すると、前記コネクタ部を介して前記携帯通信端末装置の機種判別信号を取得する機種判別信号取得部と、
前記携帯通信端末装置から画像を送信させるための処理が記載され、前記携帯通信端末装置の複数の機種ごとに準備されたプログラムが格納されたプログラムメモリ部と、
前記携帯通信端末装置から画像を送信する場合の送信先アドレス情報を格納するアドレスメモリ部と、
前記機種判別信号取得部が取得した機種判別信号に基づいて、使用する前記プログラムを選択するプログラム選択部と、
前記送信先アドレス情報と前記プログラム選択部で選択されたプログラムに基づいて、前記コネクタ部を介して前記携帯通信端末装置に対して画像送信処理を行うプロセッサ部と
を有することを特徴とする携帯通信端末装置の自動操作装置。
【請求項９】
電話回線を介して発信者電話信号を取得する電話回線入力部と、
前記発信者電話信号から発信者情報を取得する発信者情報取得部と、
電話の転送を依頼したユーザのデータが格納されるユーザデータ格納部と、
前記発信者情報取得部が取得した前記発信者情報のうち発信者を示す情報を取得するとともに、前記発信者情報または前記発信者情報と着信に使用された前記電話回線の情報の両方により特定されたユーザのデータを前記ユーザデータ格納部から取得して、着信履歴データを作成する着信履歴データ作成部と、
前記着信履歴データ作成部で作成された着信履歴データを外部へ出力する着信履歴データ出力部と
を有することを特徴とする着信情報管理装置。
【請求項１０】
携帯通信端末装置に接続され、前記携帯通信端末装置が着信した場合に、前記携帯通信端末装置から発信者を示す情報を取得する着信信号取得部と、
前記着信信号取得部から前記発信者を示す情報を取得して着信履歴データを作成する着信履歴作成部と、
前記着信履歴作成部で作成された着信履歴データを前記携帯通信端末装置に対応した出力先へ出力する着信履歴データ出力部と
を有することを特徴とする着信情報管理装置。
【請求項１１】
携帯通信端末装置に接続され、前記携帯通信端末装置が電子メールを着信したことを示すメール着信信号を取得するメール着信信号取得部と、
前記メール着信信号取得部がメール着信信号を取得した場合に、前記携帯通信端末装置から電子メールデータを取得するメールデータ取得部と、
前記メールデータ取得部が取得した電子メールデータを前記携帯通信端末装置に対応した出力先へ出力する着信メール出力部と
を有することを特徴とする着信情報管理装置。
【請求項１２】
コンピュータに接続された携帯通信端末装置が着信した場合に、前記携帯通信端末装置から発信者を示す情報を取得する着信信号取得ステップと、
前記着信信号取得ステップで取得した前記発信者を示す情報を取得して着信履歴データを作成する着信履歴作成ステップと、
前記着信履歴作成ステップで作成された着信履歴データを予め定められた出力先へ出力する着信履歴データ出力ステップと
を有するコンピュータプログラムが記録されたことを特徴とする記録媒体。
【請求項１３】
コンピュータに接続された携帯通信端末装置が電子メールを着信したことを示すメール着信信号を取得するメール着信信号取得ステップと、
前記メール着信信号取得ステップでメール着信信号を取得した場合に、前記携帯通信端末装置から電子メールデータを取得するメールデータ取得ステップと、
前記メールデータ取得ステップで取得した電子メールデータを予め定められた出力先へ出力する着信メール出力ステップと
を有するコンピュータプログラムが記録されたことを特徴とする記録媒体。
【請求項１４】
電話信号を着信した場合に、着信信号から発信者を示す情報を取得する着信信号取得ステップと、
前記着信信号取得ステップで取得した前記発信者を示す情報を取得して着信履歴データを作成する着信履歴作成ステップと、
前記着信履歴作成ステップで作成された着信履歴データを予め定められた出力先へ出力する着信履歴データ出力ステップと
を有する通信端末装置用プログラムが記録されたことを特徴とする記録媒体。
【請求項１５】
電話信号を着信した場合に、着信信号から発信者を示す情報を取得する着信信号取得部と、
前記着信信号取得部から前記発信者を示す情報を取得して着信履歴データを作成する着信履歴作成部と、
前記着信履歴作成部で作成された着信履歴データを予め定められた出力先へ出力する着信履歴データ出力部と
を有することを特徴とする通信端末装置。
【発明の詳細な説明】
【０００１】
【発明の属する技術分野】
本発明は携帯通信端末装置を用いた通話や電子メール等の通信データの管理方法とその管理方法を実施するための各種装置に係り、特に、前記各種装置は、携帯通信端末装置のカメラ機能を用いて作成された画像情報を含む電子メールの前記画像情報をインターネット上で管理する電子メールサーバ装置、前記画像情報をインターネット上で管理するための操作作業を簡略化する携帯通信端末装置の自動操作装置、予め設定しておいた他の携帯通信端末装置に着信された通話や電子メールの情報をインターネット上において確認するための着信情報管理装置、予め設定しておいた他の携帯通信端末装置に着信された通話や電子メールの情報をインターネット上において確認するための通信端末装置用プログラムが記録された記録媒体並びに通信端末装置に関する。
【０００２】
【従来の技術】
近年、海外旅行者や海外出張者に対し、行先国において利用可能な携帯通信端末装置をレンタルするサービスが提供されている。これは、その行先国が前記海外旅行者や海外出張者が常用する携帯通信端末装置の電話会社のサービス圏外となるため、前記常用の携帯通信端末装置を使用することができないためである。
【０００３】
前記サービスにおいてレンタルされる携帯通信端末装置は、通話にのみ利用されることを基本としてレンタルされている。よって、インターネットのホームページ（以下、「ＨＰ」と略記する）を閲覧したり、インターネット上で管理される電子メールの送受信を行うための電話回線への接続手段として前記携帯通信端末装置を利用したいと考えるレンタルユーザは、オプションのモデムキットを介して前記携帯通信端末装置をパーソナルコンピュータ（以下、パソコンという）に接続し、前記パソコンのＷｅｂ機能を用いることにより、ＨＰの閲覧等を行う。
【０００４】
また、一部の携帯通信端末装置においては、ＳＭＳ（Ｓｈｏｒｔ  Ｍｅｓｓａｇｅ  Ｓｅｒｖｉｃｅ）機能を搭載し、限られた文字数でメッセージの送受信が可能とされているが、その場合にあっては、例えばＧＳＭ（Ｇｒｏｂａｌ  Ｓｙｓｔｅｍ  ｆｏｒ  Ｍｏｂｉｌｅ  Ｃｏｍｍｕｎｉｃａｔｉｏｎｓ）等の携帯通信端末装置の通信方法に関する規格が同一であることが条件とされている。
【０００５】
さらに、日本国内においては、近年、Ｗｅｂ機能付き、カメラ機能付きの携帯通信端末装置（以下、カメラ付Ｗｅｂ対応携帯電話という）の需要が伸びており、前記カメラ付Ｗｅｂ対応携帯電話のカメラ機能を用いて作成した画像情報を簡単に所望の通信先へ送信することができるようになったが、前述のように、海外ではカメラ付Ｗｅｂ対応携帯電話はレンタルもされておらず、仮に、係るカメラ付Ｗｅｂ対応携帯電話がレンタルされたとしても、そのカメラ機能を用いて作成した画像を、当該カメラ付Ｗｅｂ対応携帯電話から、直接、通信方法に関する規格が異なる携帯通信端末装置や携帯通信端末装置の電話会社のサービス圏外にある携帯通信端末装置へ送信することができないのは前述のショートメールの場合と同じである。特に、画像を含む電子メールは、その文字情報のみは受信されても、画像まで含めると容量が大きくなるため、結局、当該画像については削除された状態で文字情報のみの電子メールが送信されることが多い。
【０００６】
また、たとえば、行先国がアメリカ（以下、ハワイを想定する）の場合、画像情報を含む電子メールの前記画像情報の管理方法として携帯通信端末装置の電話会社の採用する方法が２通りある。簡単に説明すると、そのうちの１つは、携帯通信端末装置を介して送信される電子メールの文字情報に画像情報を添付して直接配信する方法であり、もうひとつは、携帯通信端末装置を介して送信される電子メールの文字情報と画像情報との取り扱いを異にし、前記画像情報を前記電子メールから抽出して携帯通信端末装置の電話会社のサーバ内に一定期間格納し、電子メールの文字情報に前記画像情報の格納先のアドレスをリンク先として含ませて受信者に送信する方法である（以下、前者の方法によって画像情報を送信する電子メールを「画像添付電子メール」といい、後者の方法によって画像情報を送信する電子メールを「画像リンク電子メール」という）。そして、この後者の方法により送信された画像リンク電子メールを受信した者は、前記アドレスにアクセスして画像情報を閲覧し、必要であれば、それを自己のファイルにダウンロードしなければならない。前記画像情報は一定期間の経過後には前記格納先より削除されるためである。このように、行先国の携帯通信端末装置の電話会社が採用する画像管理が異なることを認識し、それに対処することは、一般の旅行者や出張者には困難であり、面倒なことである。
【０００７】
さらにまた、前記携帯通信端末装置がショートメール機能を有する場合であっても、当該携帯通信端末装置で取り扱うことのできる文字種が、前記携帯通信端末装置のレンタルユーザが使用する文字種（例えば、日本人のユーザの場合は日本語の文字）ではない場合には、送受信するメールの作成が困難である場合が多く想定される。前記携帯通信端末装置がインターネットを利用可能なＷｅｂ機能を有する場合も、日本語の文字を用いて作成した文字情報を表示する場合には、いわゆる「文字化け」が生じ、適切に表示できないことが多いであろうことは容易に想像できる。例えば、前記Ｗｅｂ機能を有する携帯通信端末装置の日本人のレンタルユーザに対し、前記携帯通信端末装置の利用地域に関する有用なコンテンツの提供サービスを日本語で行おうとしても、前記コンテンツが文字情報である場合には、前記携帯通信端末装置が日本語に対応するものでない限り、「文字化け」が生じ、前記レンタルユーザは前記コンテンツの内容を確認することができない。しかし、前記コンテンツが日本語の文字を画像として作成したものであれば、「文字化け」が生じることもなく、日本人のレンタルユーザに有用な情報として提供することが可能となる。
【０００８】
このように、携帯通信端末装置のレンタルを行なうこと等を考えた場合に、通信方法に関する規格の如何、あるいは、携帯通信端末装置の電話会社のサービス圏の如何に関わらず、共通する電子メールの画像情報の取り扱い（管理）方法を確立させることは極めて有用であり、最優先とすべき課題であると考える。
【０００９】
また、旅行中あるいは出張中に前記カメラ付Ｗｅｂ対応携帯電話のカメラ機能で作成した画像をインターネット上のサーバに格納し、本人が閲覧可能に管理したり、または、自国の家族や友人、知人等にアクセスさせて閲覧可能に管理することができれば便利である。
【００１０】
さらに、前記携帯通信端末装置のレンタルユーザにとっては、その旅行中に自国内で利用していた自分の携帯通信端末装置への通話やメールの着信情報を前記携帯通信端末装置から簡単に入手できると便利である。
【００１１】
【発明が解決しようとする課題】
本発明は前記した点に鑑みなされたもので、携帯通信端末装置の通信方法に関する規格の相違や携帯通信端末装置の電話会社のサービス圏に拘泥せずに、携帯通信端末装置に送受信された画像情報を含む電子メールの前記画像情報と、携帯通信端末装置に送信された通話および／または電子メールの着信情報の取得と管理を簡単且つ確実に行うことができる携帯通信端末装置の通信データの管理方法と、これらの携帯通信端末装置の通信データの管理方法を実行するために必要な各種装置や記録媒体を提供することを目的とする。
【００１２】
【課題を解決するための手段】
前記目的を達成するため、請求項１に係る携帯通信端末装置の通信データの管理方法は、携帯通信端末装置から送信される電子メールの文字情報に添付され、あるいは、前記文字情報とリンクされた画像情報を前記電子メールから取得し、インターネット上のデータベース装置に格納して、前記電子メールの送受信者を含むアクセス権限者が前記画像情報にアクセス可能に管理することを特徴とする。
【００１３】
また、請求項２に係る携帯通信端末装置の通信データの管理方法は、携帯通信端末装置に送信された通話および／または電子メールの着信情報をインターネット上のデータベース装置に格納し、前記携帯通信端末装置の所有者が前記着信情報にアクセス可能に管理することを特徴とする。
【００１４】
また、請求項３に係る電子メールサーバ装置は、所定のサーバ内に格納される画像情報と、前記所定のサーバ内の前記画像情報のアドレスを含む文字情報とを有する電子メールの前記文字情報を取得するメール受信部と、前記画像情報のアドレスを前記メール受信部が取得した文字情報から取得する画像アドレス情報取得部、前記画像アドレス情報取得部が取得した画像情報のアドレスに基づいて前記所定のサーバにアクセスし前記画像情報を取得する画像情報取得部、および、前記画像情報取得部が取得した画像情報を前記メール受信部が取得した文字情報と対応させてデータベース装置に格納する画像格納部を有する画像取得部とを備えたことを特徴とする。
【００１５】
さらに、請求項４に係る電子メールサーバ装置は、所定のサーバ内のＨＰに格納される画像情報と、前記サーバ内の前記画像情報を格納するＨＰのアドレスを含む文字情報とからなる電子メールの前記文字情報を取得するメール受信部と、前記サーバ内の前記画像情報が格納されたＨＰのアドレスを、前記メール受信部が取得した前記文字情報から取得するＨＰアドレス情報取得部、前記ＨＰアドレス情報取得部が取得したＨＰのアドレスに基づいて前記サーバにアクセスし、ＨＰ情報を取得するＨＰ情報取得部、前記ＨＰ内にある画像情報のアドレスを前記ＨＰ情報取得部が取得したＨＰ情報から取得する画像アドレス情報取得部、画像アドレス情報取得部が取得した画像情報のアドレスに基づいて前記サーバにアクセスし画像情報を取得する画像情報取得部、および、前記画像情報取得部が取得した画像情報を前記メール受信部が取得した文字情報と対応させデータベース装置に格納する画像格納部とを有する画像取得部とを備えたことを特徴とする。
【００１６】
そして、請求項５に係る電子メールサーバ装置は、請求項３または請求項４に記載の電子メールサーバ装置であって、前記画像取得部に、前記メール受信部が取得した情報が、前記画像リンク電子メールであるか、あるいは、画像情報を文字情報に添付した画像添付電子メールであるかを判断し、前記画像リンク電子メールである場合には前記画像取得部へ振り分け、前記画像添付電子メールである場合には添付画像取得部へ振り分けるメール識別部、および、前記画像添付電子メールから添付画像を取得して前記画像格納部へ送信する添付画像取得部をさらに備えたことを特徴とし、さらに、請求項６に係る電子メールサーバ装置は、請求項３に記載の電子メールサーバ装置であって、電子メールの文字情報には、当該電子メールの送り手のメールアドレスを含むことを特徴とする。
【００１７】
また、請求項７に係る携帯通信端末装置の自動操作装置は、カメラ機能を有し、前記カメラ機能により作成した画像情報を送信可能な携帯通信端末装置のコネクタ端子に装着して使用する携帯通信端末装置の自動操作装置であって、前記携帯通信端末装置のコネクタ端子を介して前記携帯通信端末装置と電気的に接続されるコネクタ部と、前記コネクタ部が前記携帯通信端末装置のコネクタ端子に接続されたことを検出する接続検出部と、前記携帯通信端末装置から画像を送信する場合の送信先アドレス情報を格納するアドレスメモリ部と、前記携帯通信端末装置から画像を送信させるための処理が記載されたプログラムが格納されたプログラムメモリ部と、前記接続検出部が、前記コネクタ部と前記コネクタ端子が接続されたことを検出すると、前記送信先アドレス情報と前記プログラムメモリ部に格納されたプログラムに基づいて、前記コネクタ部を介して前記携帯通信端末装置に対して画像送信処理を行うプロセッサ部とを有することを特徴とする。
【００１８】
そして、請求項８に係る携帯通信端末装置の自動操作装置は、カメラ機能を有し、前記カメラ機能により作成した画像情報を送信可能な携帯通信端末装置のコネクタ端子に装着して使用する携帯通信端末装置の自動操作装置であって、前記携帯通信端末装置のコネクタ端子を介して前記携帯通信端末装置と電気的に接続されるコネクタ部と、前記コネクタ部が前記携帯通信端末装置のコネクタ端子に接続されたことを検出する接続検出部と、前記接続検出部が、前記コネクタ部と前記コネクタ端子が接続されたことを検出すると、前記コネクタ部を介して前記携帯通信端末装置の機種判別信号を取得する機種判別信号取得部と、前記携帯通信端末装置から画像を送信させるための処理が記載され、前記携帯通信端末装置の複数の機種ごとに準備されたプログラムが格納されたプログラムメモリ部と、前記携帯通信端末装置から画像を送信する場合の送信先アドレス情報を格納するアドレスメモリ部と、前記機種判別信号取得部が取得した機種判別信号に基づいて、使用する前記プログラムを選択するプログラム選択部と、前記送信先アドレス情報と前記プログラム選択部で選択されたプログラムに基づいて、前記コネクタ部を介して前記携帯通信端末装置に対して画像送信処理を行うプロセッサ部とを有することを特徴とする。
【００１９】
また、請求項９に係る着信情報管理装置は、電話回線を介して発信者電話信号を取得する電話回線入力部と、前記発信者電話信号から発信者情報を取得する発信者情報取得部と、電話の転送を依頼したユーザのデータが格納されるユーザデータ格納部と、前記発信者情報取得部が取得した前記発信者情報のうち発信者を示す情報を取得するとともに、前記発信者情報または前記発信者情報と着信に使用された前記電話回線の情報の両方により特定されたユーザのデータを前記ユーザデータ格納部から取得して、着信履歴データを作成する着信履歴データ作成部と、前記着信履歴データ作成部で作成された着信履歴データを外部へ出力する着信履歴データ出力部とを有することを特徴とする。
【００２０】
そして、請求項１０に係る着信情報管理装置は、携帯通信端末装置に接続され、前記携帯通信端末装置が着信した場合に、前記携帯通信端末装置から発信者を示す情報を取得する着信信号取得部と、前記着信信号取得部から前記発信者を示す情報を取得して着信履歴データを作成する着信履歴作成部と、前記着信履歴作成部で作成された着信履歴データを前記携帯通信端末装置に対応した出力先へ出力する着信履歴データ出力部とを有することを特徴とする。
【００２１】
そして、請求項１１に係る着信情報管理装置は、携帯通信端末装置に接続され、前記携帯通信端末装置が電子メールを着信したことを示すメール着信信号を取得するメール着信信号取得部と、前記メール着信信号取得部がメール着信信号を取得した場合に、前記携帯通信端末装置から電子メールデータを取得するメールデータ取得部と、前記メールデータ取得部が取得した電子メールデータを前記携帯通信端末装置に対応した出力先へ出力する着信メール出力部とを有することを特徴とする。
【００２２】
請求項１２に係る記録媒体は、コンピュータに接続された携帯通信端末装置が着信した場合に、前記携帯通信端末装置から発信者を示す情報を取得する着信信号取得ステップと、前記着信信号取得ステップで取得した前記発信者を示す情報を取得して着信履歴データを作成する着信履歴作成ステップと、前記着信履歴作成ステップで作成された着信履歴データを予め定められた出力先へ出力する着信履歴データ出力ステップとを有するコンピュータプログラムが記録されたことを特徴とする。
【００２３】
さらに、請求項１３に係る記録媒体は、コンピュータに接続された携帯通信端末装置が電子メールを着信したことを示すメール着信信号を取得するメール着信信号取得ステップと、前記メール着信信号取得ステップでメール着信信号を取得した場合に、前記携帯通信端末装置から電子メールデータを取得するメールデータ取得ステップと、前記メールデータ取得ステップで取得した電子メールデータを予め定められた出力先へ出力する着信メール出力ステップとを有するコンピュータプログラムが記録されたことを特徴とする。
【００２４】
また、請求項１４に係る記録媒体は、電話信号を着信した場合に、着信信号から発信者を示す情報を取得する着信信号取得ステップと、前記着信信号取得ステップで取得した前記発信者を示す情報を取得して着信履歴データを作成する着信履歴作成ステップと、前記着信履歴作成ステップで作成された着信履歴データを予め定められた出力先へ出力する着信履歴データ出力ステップとを有する通信端末装置用プログラムが記録されたことを特徴とする。
【００２５】
そして、請求項１５に係る通信端末装置は、電話信号を着信した場合に、着信信号から発信者を示す情報を取得する着信信号取得部と、前記着信信号取得部から前記発信者を示す情報を取得して着信履歴データを作成する着信履歴作成部と、前記着信履歴作成部で作成された着信履歴データを予め定められた出力先へ出力する着信履歴データ出力部とを有することを特徴とする。
【００２６】
【発明の実施の形態】
本発明の携帯通信端末装置の通信データの管理方法について説明するに際し、海外旅行者や海外出張者に、行先国で使用可能なカメラ付Ｗｅｂ対応携帯電話を、一定の契約期間中レンタルするサービス業務を行う、以下のようなビジネスモデルを想定する。前述のように、海外への旅行時あるいは出張時に、国内で使用していた携帯通信端末装置は通信規格の相違等の都合で利用できないためである。
【００２７】
そこで、前記レンタル契約は、前記カメラ機能を用いて写真を撮ることや前記Ｗｅｂ機能を利用してＨＰ等の検索を行なうこと等、基本的なサービス（以下、「基本サービス」という）の他、このレンタルされたカメラ付Ｗｅｂ対応携帯電話専用のメールアドレスを使用してインターネット上に配設された画像データ受信サーバに前記カメラ付Ｗｅｂ対応携帯電話のカメラ機能により作成した画像を格納してアルバム管理するサービス（以下、「画像アルバムサービス」という）、コンテンツの提供を受けるサービス（以下、「コンテンツサービス」という）、電子メールで送信された画像情報をインターネット上のサーバで前記画像情報の画像をプリント出力するサービス（以下、「写真プリントサービス」という）を提供することを内容とする。
【００２８】
また、前記カメラ付Ｗｅｂ対応携帯電話のレンタルユーザが、海外旅行中あるいは海外出張中に自国内で利用していた自分の携帯通信端末装置等を含む所定の携帯通信端末装置への通話やメールの着信情報をその旅行先、出張先から、前記カメラ付Ｗｅｂ対応携帯電話やパソコンを用いて確認可能に管理するサービス（以下、「着信情報管理サービス」）を提供するサービスも行なう。
【００２９】
本発明の携帯通信端末装置の通信データの管理方法の１つは、前述したサービスのうち、特に、画像アルバムサービス、コンテンツ提供サービスなど、画像情報を扱うサービスを行なう場合に用いられ（以下、「画像通信データの管理方法」という）、電子メールサーバ装置、携帯通信端末装置の自動操作装置はこの携帯通信端末装置の通信データの管理方法を実現するために用いられる。
【００３０】
また、本発明の携帯通信端末装置の通信データの管理方法の他の１つは、海外旅行者、出張者の留守中における携帯通信端末装置への通話着信やメール着信の情報を前記海外旅行者、出張者が把握することのできるサービスを行う場合に用いられ（以下、「着信データの管理方法」という）、着信情報管理装置は、この携帯通信端末装置の通信データの管理方法を実現するために用いられる。
【００３１】
図１は本発明の前記画像通信データの管理方法を実現するためのシステム構成の一例を示している。
【００３２】
レンタルされる携帯通信端末装置としての前記カメラ付Ｗｅｂ対応携帯電話１００の貸出サービスとその付随サービスを行なう業者（以下、「業者」という）は、これらのサービスを行うための受付窓口としてのカスタマーセンタ１０１において、前記カメラ付Ｗｅｂ対応携帯電話１００の貸し出し業務を行う。前記カスタマーセンタ１０１には、図１に示すように、ルータ１０２を介してインターネットＩＮに接続され、データの送受信を可能とされた、画像データ受信サーバ１０３、画像変換サーバ１０４、画像データベースサーバ１０５、データベースサーバ（Ｗｅｂサーバ、アプリケーションサーバとしても機能）１０６、写真プリント自動販売機１０７、端末パソコン１０８等を配設した電子メールサーバ装置１０９を備える。このカスタマーセンタ１０１は海外に１カ所のみならず、複数配設してもよいし、日本国内に配設し、訪日の観光客等に前述の携帯通信端末装置のレンタルサービスを行ってもよい。また、カスタマーセンタ１０１と電子メールサーバ装置１０９の各種サーバ群とを分離して、サーバセンターを配設してもよい。前記各サーバ１０３，１０４，１０５，１０６は、バックアップとして、同じか同等のものを複数配設してもよい（図３の１０５ｂ参照）。なお、前記データベースサーバ１０６は、前記画像データベースサーバ１０５としても兼用することができる。
【００３３】
前記カスタマーセンタ１０１においては、携帯通信端末装置のレンタルを希望するユーザ（以下「レンタルユーザ」という）に関する必要事項を、端末パソコンの表示画面に表示される、図２に示すような画面から登録する。各レンタルユーザに関するデータは発番するユーザＩＤに関連させて、氏名、住所、電話番号のほか、セキュリティを保つためのパスワード、貸し出しをするカメラ付Ｗｅｂ対応携帯電話１００の電話番号、貸し出しするカメラ付Ｗｅｂ対応携帯電話１００のメールアドレス、当該レンタルユーザが画像情報を含む電子メールを送信する送信先となる、当該レンタルユーザ固有のサーバのメールアドレス（以下、「送信メールアドレス」という）、転送先電話番号、転送先メールアドレス、利用開始日時、利用終了日時、有効容量等を管理する。これらの情報は後述する電子メールサーバ装置１０９の画像データ受信サーバ１０３に配置されたユーザデータ格納部１３７に保管する。さらに、前記レンタルユーザ固有の画像データの格納領域を画像データベースサーバ１０５に確保する。
【００３４】
そして、本実施形態の画像通信データの管理方法は、電子メールサーバ装置１０９において、前記画像情報を含む電子メールの画像情報を前記電子メールから取得し、この画像情報をインターネットＩＮ上に配置したデータベース装置としての前記画像データベースサーバ１０５に格納して、前記電子メールの送受信者を含むアクセス権限者がアクセスして前記画像情報を閲覧し、使用することができるように前記画像情報を管理する。
【００３５】
本実施形態の画像通信データの管理方法を実施するための装置の説明は、以下の各種サービスの説明中において行なう。
１）通話サービス：
カメラ付Ｗｅｂ対応携帯電話１００のレンタルユーザは、行先国内や海外への通話の他、インターネットアクセスも行うことができる。それぞれ利用時間単価を別途計算し料金が徴収される。
【００３６】
また、レンタルしたカメラ付Ｗｅｂ対応携帯電話１００のレンタル期間中にカメラ機能を用いて画像を作成した場合、その画像は、画像情報としてメールの文字情報に添付し、あるいは、メールの文字情報にリンクさせて電子メールとして、予め当該レンタルユーザに与えられた送信メールアドレスに送信することにより、後述の画像アルバムサービスを利用することができる。
２）画像アルバムサービス：
前記レンタルユーザは、レンタルしたカメラ付Ｗｅｂ対応携帯電話１００をカスタマーセンタ１０１で端末パソコン１０８に直接接続することにより、当該カメラ付Ｗｅｂ対応携帯電話１００で作成した画像を当該レンタルユーザの前記画像データベースサーバ１０５内のアドレスに取り込み（オフライン処理）、前記画像をアルバムのようにして管理することができる。
【００３７】
また、前記画像情報を含む電子メールで送信された画像を、画像データベースサーバ１０５に登録し（オンライン処理）、アルバムのようにして管理することもできる。
【００３８】
その場合、まず、レンタルユーザは予め業者により指定された送信メールアドレスに画像情報を含む電子メールを送信する。
【００３９】
本発明の電子メールサーバ装置１０９を構成する画像データ受信サーバ１０３においては、レンタルユーザが送信した電子メールから画像情報を取得し、画像データベースサーバ１０５のアドレスに当該レンタルユーザに付与されたユーザＩＤに関連付けて格納する。このとき、データベースサーバ１０６のアプリケーションプログラムにより当該レンタルユーザに関するサービスの有効期限（前記利用終了日時）と有効容量が計算され、これらが有効であって処理可能な場合のみ格納し、それ以外は格納しないように制御する。画像データ受信サーバ１０３は、画像メールを受信した際、登録されたカメラ付Ｗｅｂ対応携帯電話１００のメールアドレス、サーバ側の受信メールアドレスを確認して登録された許可アドレスでのみ受付を行うこともできる。
【００４０】
ここで、前記画像通信データの管理方法を実施するための電子メールサーバ装置１０９、特に、画像データ受信サーバ１０３について説明する。
【００４１】
なお、図３には、前記画像通信データの管理方法におけるシステムの要部を示しておく。
【００４２】
第１実施例：
前記電子メールサーバ装置１０９における前記画像データ受信サーバ１０３は、携帯電話会社を介して送信される画像リンク電子メールに対応する画像データ受信サーバ１０３である。
【００４３】
前記画像データ受信サーバ１０３は、図４に示すように、携帯電話会社の所定のサーバ１２０内のＨＰに格納される画像情報および前記サーバ１２０内の前記画像情報を格納するＨＰのアドレスを含む文字情報とからなる画像リンク電子メールの前記文字情報を取得するメール受信部１３０を備えており、また、前記携帯電話会社のサーバ１２０内の前記画像情報が格納されたＨＰのアドレスを、前記メール受信部１３０が取得した前記文字情報から取得するＨＰアドレス情報取得部１３１、前記ＨＰアドレス情報取得部１３１が取得したＨＰのアドレスに基づいて前記サーバ１２０にアクセスし、ＨＰ情報を取得するＨＰ情報取得部１３２、前記ＨＰ内にある画像情報のアドレスを、前記ＨＰ情報取得部１３２が取得したＨＰ情報から取得する画像アドレス情報取得部１３３、画像アドレス情報取得部１３３が取得した画像情報のアドレスに基づいて前記サーバ１２０にアクセスし、画像情報を取得する画像情報取得部１３４、前記画像情報取得部１３４が取得した画像情報を前記メール受信部１３０が取得した文字情報と対応させ、データベース装置に格納する画像格納部１３５からなる画像取得部１３６を備えており、さらに、レンタルユーザの各種データを格納するユーザーデータ格納部１３７、時計１３８、画像をインターネット上に格納した（アルバムした）ことを通知する電子メールを所定の通知先へ通知するための確認メール送信部１３９を備えている。
【００４４】
次に、本実施例の作用について説明する。
【００４５】
前述のように画像リンク電子メールを以て画像アルバムサービスを利用する場合、まず、前記画像情報を含む電子メールは携帯電話会社に送信される。
【００４６】
携帯電話会社のサーバ１２０は、前記画像情報を含む電子メールから画像を取得し、前記携帯電話会社のサーバ１２０内のユーザ固有の場所に格納する。そして、その格納場所（アドレス）のＵＲＬ（以下、「電話会社画像ＵＲＬ」という）を含む画像掲載ＨＰのＵＲＬ（以下、「電話会社ＨＰＵＲＬ」という）を有する文字情報からなる画像リンクメールを、前記業者の管理する電子メースサーバ装置１０９の画像データ受信サーバ１０３に送信する。その際、画像の内容に関する情報は一切送信されない。
【００４７】
前記画像データ受信サーバ１０３では、前記メール受信部１３０で前記電話会社画像ＵＲＬを有する文字情報の電子メールを受信し、時計１３８の刻時機能によりその受信時刻を記録する。また、当該カメラ付Ｗｅｂ対応携帯電話１００の送信メールアドレス、画像データ受信サーバ１０３の受信メールアドレスを取得し、２つのメールアドレスの一方もしくは両方を前記ユーザデータ格納部１３７に格納されているレンタルユーザの情報と参照することでユーザの認証を行う。また、ユーザの認証ができない場合（例えば、非ユーザである場合）は、アクセスを拒否することもできる。また、前記ユーザデータ格納部１３７に格納されているレンタルユーザの情報を参照させることで、当該レンタルユーザに貸与した画像格納場所を２つのメールアドレスの一方もしくは両方で特定する。次に、メールの件名と、メール本文の文字情報があればそれを取得する。なお、前記参照の作業は、前記データベースサーバ１０６のアプリケーションプログラムにより行なうものとする。
【００４８】
続いて、前記画像取得部１３６では、ＨＰアドレス情報取得部で、前記本文の中から、電話会社ＨＰＵＲＬを抽出する。そして、ＨＰ情報取得部が携帯電話会社のサーバにＨＴＴＰアクセスをし、送られてきたＨＴＭＬデータを受信する。そして、画像アドレス情報取得部１３３において、前記ＨＴＭＬデータの中から、前記電話会社画像ＵＲＬを抽出し、画像情報取得部１３４が携帯電話会社のサーバにＨＴＴＰアクセスをし、送られてきた画像を画像情報取得部１３４が受信する。
【００４９】
そして、前記画像格納部１３５は、取得した文字情報（本文、送信者のメールアドレス、件名、受信時刻等）をデータベースサーバ１０６に格納するとともに、画像を画像データベースサーバ１０５に当該レンタルユーザのＩＤと関連つけて格納し、その格納先のアドレスは前記文字情報として管理する。
【００５０】
そして、前記確認メール送信部１３９は、画像情報を含む電子メールを受信したことを通知するために、前記電子メールの送信者であるレンタルユーザのカメラ付Ｗｅｂ対応携帯電話１００のメールアドレスに宛てて確認メールを送信する。この確認メールの内容は、例えば、前記データベースサーバ１０６に格納された、メールの件名、本文、送信者のメールアドレス、受信時刻、画像の格納先のアドレスなどの文字情報とする。
【００５１】
なお、本実施例の電子メールサーバ装置１０９においては、前記画像データベースサーバ１０５は、受信したままの状態の画像を格納しておくサーバとバックアップ用のサーバを配設してもよい。本実施例においては、画像変換サーバ１０４を設け、当該画像変換サーバ１０４において、取得した画像情報をＪＰＥＧ−ＧＩＦ間等のフォーマット変換、画像の輪郭補正、サイズ変換等の必要な補正を行い、その補正後の画像を格納する画像データベースサーバ１０５ｂを配設した。さらに、インターネットＩＮ上に、前記画像情報を含む電子メールの画像と前記データベースサーバ１０６内に格納される文字情報に関するバックアップサーバ１５０を設け、セキュリティに万全を期することとした（図１参照）。
【００５２】
また、前記確認メールは、予め、前記レンタルユーザが確認メールの通信先を１又は複数登録することで、それらの別個登録された確認メールの通信先に対し、送信するようにすることもできる。この場合、前記業者は、前記確認メールの通信先を別個登録する際に、別個登録された確認メールの通信先にいる者（以下、「閲覧者」という）が前記レンタルユーザが送信した画像を閲覧するためのユーザＩＤやパスワードを付与するものとする。そして、当該カメラ付Ｗｅｂ対応携帯電話１００のレンタルユーザは、予め、これら閲覧者が前記レンタルユーザが送信した画像を閲覧するためのユーザＩＤやパスワードを電子メールや電話などにより通知しておく。これにより、確認メールを受領した閲覧者は、当該確認メールによって新たにインターネットＩＮ上の画像データベースに画像がアップされたことを知り、パソコン、携帯通信端末装置等からインターネットＩＮを介して前記画像情報のＵＲＬへ前記ユーザＩＤやパスワードを所定のアドレスのログインＨＰに入力して接続することにより、アクセス権が識別され、前記カメラ付Ｗｅｂ対応携帯電話１００から送信された画像を閲覧することができる。
【００５３】
なお、データベースサーバ１０６に管理される文字情報に当該画像情報を含む電子メールの送信者のメールアドレスを含ませ、この送信者のメールアドレスをも確認メールで送信するようにすると、前記閲覧者等は、当該メールアドレスを手がかりとして送信者の確認を行うことができる。
【００５４】
なお、携帯電話会社のサーバ１２０から、画像ＵＲＬを含む文字情報の電子メールが画像データ受信サーバ１０３に送られる場合は、前記ＨＰアドレス情報取得部１３１およびＨＰ情報取得部１３２の配設およびその処理を省略することができる（図５参照）。さらに、画像情報を含む電子メールの画像を画像データ受信サーバにわざわざ格納し直さずに、当該電話会社画像ＵＲＬを文字情報としてデータベースサーバ１０６に保存しておくこともできる。
【００５５】
第２実施例：
前記電子メールサーバ装置１０９における前記画像データ受信サーバ１０３は、携帯電話会社を介して送信される画像添付電子メールおよび画像リンク電子メールに対応する画像データ受信サーバ１０３である。
【００５６】
図６に示すように、前記第１実施例の画像データ受信サーバ１０３におけるメール受信部１３０、画像取得部１３６等の他、前記メール受信部１３０が取得した情報が、前記画像リンク電子メールであるか、あるいは画像情報を文字情報に添付した画像添付電子メールであるかを判断し、前記画像リンク電子メールである場合には前記画像取得部１３６へ振り分け、前記画像添付電子メールである場合には後述する添付画像取得部１４０へ振り分けるメール識別部１４１と、前記画像添付電子メールから添付画像を取得して前記画像格納部１３５へ送信する添付画像取得部１４０とをさらに備えている。
【００５７】
次に、本実施例の作用について説明する。
【００５８】
本実施形態の場合、カメラ付Ｗｅｂ対応携帯電話１００Ａから前記画像情報を含む電子メールが携帯電話会社Ａのサーバ１２０Ａを介して送信される場合、前記画像情報を含む電子メールは画像データ受信サーバ１０３には画像添付メールとして送信される。
【００５９】
一方、カメラ付Ｗｅｂ対応携帯電話１００Ｂから前記画像情報を含む電子メールが携帯電話会社のサーバ１２０Ｂを介して送信される場合、まず、前記画像情報を含む電子メールは携帯電話会社Ｂのサーバ１２０Ｂに送信される。前記携帯電話会社Ｂのサーバ１２０Ｂは、前記画像情報を含む電子メールから画像を取得し、前記サーバ１２０Ｂ内のユーザ固有の場所に格納する。そして、その格納場所である電話会社画像ＵＲＬを含む電話会社ＨＰＵＲＬを有する文字情報からなる画像リンクメールを画像データ受信サーバ１０３に送信する。その際、画像の内容に関する情報は一切送信されない。
【００６０】
画像データ受信サーバ１０３では、メール受信部１３０で、前記画像添付電子メールおよび／または前記電話会社画像ＵＲＬを有する文字情報の電子メールを受信し、時計１３８の刻時機能によりその受信時刻を記録する。また、前記画像情報を含む電子メールを送信したカメラ付Ｗｅｂ対応携帯電話１００の送信メールアドレス、画像データ受信サーバ１０３の受信メールアドレスを取得し、２つのメールアドレスの一方もしくは両方を前記ユーザデータ格納部１３７に格納されているレンタルユーザの情報と参照することでユーザの認証を行う。また、ユーザの認証ができない場合（例えば、非ユーザである場合）は、アクセスを拒否することもできる。また、前記ユーザデータ格納部１３７に格納されているレンタルユーザの情報を参照させることで、当該レンタルユーザに貸与した画像格納場所を２つのメールアドレスの一方もしくは両方で特定する。次に、メールの件名を取得する。なお、前記参照の作業は、前記データベースサーバ１０６のアプリケーションプログラムにより行なうものとする。次に、メールの件名を取得する。
【００６１】
続いて、メール識別部１４１では、画像添付電子メールが届いたか、画像リンク電子メールが届いたか否かを判別する。そして、画像添付電子メールが届いたと判断した場合は、前記添付画像取得部１４０は、取得した各種文字情報をＷｅｂサーバやデータベースサーバ１０６に格納するとともに、画像を取得し、前記画像を画像データベースサーバ１０５に当該レンタルユーザのＩＤと関連つけて格納し、その格納先のアドレスは前記文字情報として管理する。
【００６２】
また、画像リンクメールの場合は、画像取得部１３６に文字情報を送るとともに、画像取得部１３６のＨＰアドレス情報取得部で、前記文字情報の中から、電話会社ＨＰＵＲＬを抽出する。
【００６３】
そして、ＨＰ情報取得部が携帯電話会社のサーバにＨＴＴＰアクセスをし、送られてきたＨＴＭＬデータを受信する。そして、画像アドレス情報取得部１３３において、前記ＨＴＭＬデータの中から、前記電話会社画像ＵＲＬを抽出し、画像情報取得部１３４が携帯電話会社のサーバにＨＴＴＰアクセスをし、送られてきた画像を画像情報取得部１３４が受信する。
【００６４】
そして、画像格納部１３５は、取得した文字情報（本文、送信者のメールアドレス、件名、受信時刻等）をデータベースサーバ１０６に格納するとともに、画像を画像データベースサーバ１０５に、当該レンタルユーザのＩＤと関連つけて格納する。
【００６５】
そして、確認メール送信部１３９は、画像情報を含む電子メールを受信したことを通知するために、前記電子メールの送信者であるレンタルユーザのカメラ付Ｗｅｂ対応携帯電話１００のメールアドレスに宛てて確認メールを送信する。この確認メールの内容は、例えば、前記データベースサーバ１０６に格納された文字情報とする。
【００６６】
なお、確認メールの送信先や、バックアップサーバの件など、特に、前記第１実施例と異ならない部分の説明については省略する。
【００６７】
このように構成され、作用する画像データ受信サーバ１０３を用いて携帯通信端末装置の画像通信データの管理を行なうことにより、携帯通信端末装置の通信方法に関する規格の相違や携帯通信端末装置の電話会社のサービス圏に拘泥することなく、Ｗｅｂ対応の携帯通信端末装置やパソコン等からインターネットを介して電子メールの文字情報と対応する画像にアクセスすることができ、携帯通信端末装置に送受信された画像情報を含む電子メールの取得と管理を簡単且つ確実に行うことができる。
【００６８】
また、図７は、本実施形態の画像アルバムサービスにおけるＨＰの画面展開の一例を示す図である。図中左上に示すようなログイン画面からユーザＩＤとパスワードを入力し、接続することにより、アクセスした者が識別されるようになっている。
【００６９】
ログイン後の画面としては、図中右上に示すように、画面の左側に画像の１乃至複数の分類フォルダ（本実施例においては、「ハワイ」「ロス」のリンクボタン）とフォルダを追加するための「追加」の各リンクボタン、フォルダ分け前の新着画像の「一覧」のリンクボタン、指定された個別の画像の登録日時等と、「表示」・「削除」・「編集」の各リンクボタンが表示されている。また、右側のメイン画面には、ログイン直後には、新着画像が一覧表示されている。
【００７０】
この一覧表示された新着画像の中から所望の画像をクリック等で選択する。この選択した画像は、図中右下に示すように、前記メイン画面に大きく表示されるとともに、「フォルダ移動」・「削除」・「プリント申込み」・「編集」の各リンクボタンが表示される。それぞれの処理を選択してリンクボタンをクリックすることにより、それぞれの所定の処理頁に繋がり、当該処理が行われる。この画面においても、画面の左側に表示される「一覧」のリンクボタンをクリックすれば、ログイン直後の一覧表示頁に戻ることができる。
【００７１】
例えば、ログイン直後の頁で、画面の左側にある分類フォルダの中から「ハワイ」のリンクボタンをクリックすると、図面左下のような頁が表示される。ここでは、「ハワイ」というフォルダに格納された画像のみが表示される。また、「戻る」のリンクボタンをクリック等すれば、ログイン直後の頁に戻ることができ、この一覧表示された「ハワイ」というフォルダに格納された画像の中から所望の画像をクリック等で選択することにより、この選択した画像が、前記メイン画面に大きく表示されるとともに、「フォルダ移動」・「削除」・「プリント申込み」・「編集」の各リンクボタンが表示される。
【００７２】
また、画像を含む電子メールの送信操作を簡便なものとするために、携帯通信端末装置の自動操作装置（以下、「ＧＡＰ（Ｇｌｏｂａｌ  Ａｃｃｅｓｓ  Ｐｉｎ）という」）１６０を用いることができる。
【００７３】
図８は、このＧＡＰ１６０を携帯通信端末装置としてのカメラ付Ｗｅｂ対応携帯電話１００のコネクタ端子に接続する状態を示す図である。
【００７４】
前記ＧＡＰ１６０は、前記カメラ付Ｗｅｂ対応携帯電話１００のカメラ機能により作成した画像情報を前記カメラ付Ｗｅｂ対応携帯電話１００のコネクタ端子に装着して使用する。
【００７５】
第１実施例：
前記ＧＡＰ１６０は、前記カメラ付Ｗｅｂ対応携帯電話１００のコネクタ端子を介して前記カメラ付Ｗｅｂ対応携帯電話１００と電気的に接続されるコネクタ部１６１と、前記コネクタ部１６１が前記カメラ付Ｗｅｂ対応携帯電話１００のコネクタ端子に接続されたことを検出する接続検出部と、前記カメラ付Ｗｅｂ対応携帯電話１００から画像を送信する場合の送信先アドレス情報を格納するアドレスメモリ部と、前記カメラ付Ｗｅｂ対応携帯電話１００から画像を送信させるための処理が記載されたプログラムが格納されたプログラムメモリ部と、前記接続検出部が前記コネクタ部１６１と前記コネクタ端子が接続されたことを検出すると、前記送信先アドレス情報と前記メモリ部に格納されたプログラムに基づいて前記コネクタ部１６１を介して前記カメラ付Ｗｅｂ対応携帯電話１００に対して画像送信処理を行うプロセッサ部とを備えている。
【００７６】
次に、本実施例の作用について説明する。
【００７７】
まず、カメラ付Ｗｅｂ対応携帯電話１００のカメラ機能により画像を作成したら、それを画像情報として当該カメラ付Ｗｅｂ対応携帯電話１００内のメモリに保存する。
【００７８】
続いて、前記コネクタ部１６１をカメラ付Ｗｅｂ対応携帯電話１００のコネクタ端子に差し込み、電気的に接続する。
【００７９】
前記ＧＡＰ１６０の前記接続検出部が、前記コネクタ部１６１が前記カメラ付Ｗｅｂ対応携帯電話１００のコネクタ端子に接続されたことを検出すると、プロセッサ部は、前記プログラムメモリ部に格納されたプログラムに基づいて、前記カメラ付Ｗｅｂ対応携帯電話１００に対して、前記アドレスメモリ部に格納していた送信メールアドレスや、予め当該カメラ付Ｗｅｂ対応携帯電話１００の自動操作装置内に格納していた件名、本文、ユーザＩＤ等の入力作業を例えば自動で行なうとともに、先ほど保存した画像を選択して送信する画像送信処理を行なう。
【００８０】
そして、画像情報を含む電子メールの送信が完了したら、前記コネクタ部１６１を前記コネクタ端子から抜き取り、電気的接続を解除する。
【００８１】
このように、予め、必要な操作手順と入力情報が格納されたＧＡＰ１６０をカメラ付Ｗｅｂ対応携帯電話１００のコネクタ端子に差し込むだけで、特定の画像を送信することができるので、画像を含む電子メールの送信操作を簡便なものとすることができる。
【００８２】
第２実施例：
ＧＡＰ１６０の第２実施例においては、前記第１実施例のＧＡＰ１６０に、さらに、前記接続検出部が前記コネクタ部１６１と前記コネクタ端子が接続されたことを検出すると前記コネクタ部１６１を介して前記カメラ付Ｗｅｂ対応携帯電話１００の機種判別信号を取得する機種判別信号取得部と、前記カメラ付Ｗｅｂ対応携帯電話１００から画像を送信させるための処理が記載され、前記携帯通信端末装置の複数の機種ごとに準備されたプログラムが格納されたプログラムメモリ部と、前記機種判別信号取得部が取得した機種判別信号に基づいて使用する前記プログラムを選択するプログラム選択部を備えている。
【００８３】
次に、本実施例の作用について説明する。
【００８４】
まず、カメラ付Ｗｅｂ対応携帯電話１００のカメラ機能により画像を作成したら、それを画像情報として当該カメラ付Ｗｅｂ対応携帯電話１００内のメモリに保存する。
【００８５】
続いて、前記コネクタ部１６１をカメラ付Ｗｅｂ対応携帯電話１００のコネクタ端子に差し込み、電気的に接続する。
【００８６】
前記接続検出部が、前記コネクタ部１６１と前記コネクタ端子が接続されたことを検出すると、前記機種判別信号取得部が前記コネクタ部１６１を介して前記携帯通信端末装置の機種判別信号を取得する。続いて、前記プログラム選択部が、前記機種判別信号取得部が取得した機種判別信号に基づいてプログラムメモリ部から前記携帯通信端末装置から画像を送信させるための処理と、当該カメラ付Ｗｅｂ対応携帯電話１００の機種用として準備されたプログラムを選択する。そして、前記プロセッサ部は、前記プログラム選択部で選択されたプログラムに基づいて、前記カメラ付Ｗｅｂ対応携帯電話１００に対して、前記アドレスメモリ部に格納していた送信メールアドレスや、予め当該カメラ付Ｗｅｂ対応携帯電話１００の自動操作装置内に格納していた件名、本文、ユーザＩＤ等の入力作業を自動で行い、先ほど保存した画像を自動的に選択して送信する画像送信処理を行なう。
【００８７】
このように、本実施例のＧＡＰ１６０においても、予め、必要な操作手順と入力情報が格納されたＧＡＰ１６０をカメラ付Ｗｅｂ対応携帯電話１００のコネクタ端子に差し込むだけで、特定の画像を送信することができるので、画像を含む電子メールの送信操作を簡便なものとすることができる。また、本実施例のＧＡＰ１６０の場合、対応する携帯通信端末装置の機種を自動判別することができるので、使用対象機器を１台の携帯通信端末装置に限ることなく、汎用性を持たせることができる。
【００８８】
なお、このＧＡＰ１６０の具体的な使用方法については、次のコンテンツサービスの説明において詳述する。
【００８９】
３）コンテンツサービス：
レンタルユーザは、海外の行先国（行先地）の店舗情報、観光案内等の情報の提供を有料および無料で受けることができる。前記業者は、情報の提供を行う店舗や観光施設から広告費用を徴収してもよい。このコンテンツに含まれる画像は、カメラ付Ｗｅｂ対応携帯電話１００から画像添付メールを送信することで、自動的に更新できるようにする。
【００９０】
コンテンツ内の文字は、日本語入力のできる端末から文字で入力すると、画像情報に自動的に変換され、日本語が表示できない海外のカメラ付Ｗｅｂ対応携帯電話１００でも日本語を画像として見ることができるようにすることができる。
【００９１】
ここで、電子メールサーバ装置１０９とＧＡＰ１６０を用いたＨＰの更新システムについて説明する。
【００９２】
例えば、レンタルユーザに旅行先の、店舗番号８０８（ユーザＩＤ８０８）とするレストランに関する情報を提供するコンテンツをＨＰで提供する場合を想定する。前記レストランのＨＰ自体は、前記画像データ受信サーバ１０３のインターネットＩＮで接続可能とされたコンテンツサーバ１７０に管理されていてもよい。
【００９３】
図９の上中央に示すように、前記レストランのＨＰの画面には、「今週のランチ」に関する画像情報にリンクするリンクボタンと、「新メニュー」に関する画像情報にリンクするリンクボタンとが表示されている。
【００９４】
本実施例において、前記「今週のランチ」の８０８＿１．ｊｐｇの画像情報は、前記画像データ受信サーバ１０３における当該画像情報に関するメールアドレスの「８０８＿１＠ｘｘｘ．ｙｙｙ」に関連付けて格納されており、また、「新メニュー」に関する８０８＿２．ｊｐｇの画像情報は、前記画像データ受信サーバ１０３における当該画像情報に関するアドレスの「８０８＿２＠ｘｘｘ．ｙｙｙ」に関連付けてて格納されており、前記コンテンツの初期画面において、それぞれのリンクボタンがクリックされることにより、当該サーバ側の店舗８０８の所定の場所に格納された画像が表示されるものとする。
【００９５】
その場合において、前記アドレスの「８０８＿１＠ｘｘｘ．ｙｙｙ」を格納したＧＡＰ１６０と、「８０８＿２＠ｘｘｘ．ｙｙｙ」を格納したＧＡＰ１６０を用意する。
【００９６】
以下では、ＨＰ上の所定の場所に格納された「今週のランチ」の「８０８＿１．ｊｐｇ」の画像を更新したい場合を説明する。
【００９７】
まず、カメラ付Ｗｅｂ対応携帯電話１００で今週のメニューの画像（文字を含んでいても可）を撮影し作成した後、当該カメラ付Ｗｅｂ対応携帯電話１００のコネクタ端子に前記「８０８＿１＠ｘｘｘ．ｙｙｙ」のアドレスが格納された前記ＧＡＰ１６０のコネクタ１６１を差し込む。
【００９８】
すると、カメラ付Ｗｅｂ対応携帯電話１００から画像データ受信サーバ１０３に対して自動的に、画像情報を含む電子メールが送信される。
【００９９】
前記画像データ受信サーバ１０３では、前記「８０８＿１＠ｘｘｘ．ｙｙｙ」のアドレスに関連付けて格納されていた、古い「８０８＿１．ｊｐｇ」に相当する画像を、今、受信した新しい画像に置き換えて格納する。
【０１００】
これにより、ＨＰ上に表示される「８０８＿１．ｊｐｇ」に該当する画像を更新することができる。
【０１０１】
なお、ＨＰ上で「８０８＿２．ｊｐｇ」に該当する画像を更新したい場合も、「８０８＿２＠ｘｘｘ．ｙｙｙ」のアドレスが格納されたＧＡＰ１６０を用いる点を除き、要領は同様である。
【０１０２】
また、別の実施例としては、ＧＡＰ１６０に画像データベースサーバ１０５における格納先のアドレスを複数記憶できるようにし、各アドレスに対応したボタンを設け、ＧＡＰ１６０を差し込む際に、各ボタンを選択して押すことで、一つのＧＡＰ１６０で複数のサーバ側のメールアドレスに所定の画像を送信するようにしてもよい。
【０１０３】
なお、前記画像情報に日本語の文字を含ませても、その日本語の文字は文字情報としてではなく、画像情報として扱われるため、表示されるカメラ付Ｗｅｂ対応携帯電話１００等の端末装置に日本語の文字を扱える機能が無くても、文字化けが生じることはない。
【０１０４】
４）写真プリントサービス：
前記カメラ付Ｗｅｂ携帯電話のレンタル期間中にカメラ機能を用いて作成した画像は、前記レンタル期間中、あるいは、前記レンタル期間が終了して当該カメラ付Ｗｅｂ対応携帯電話１００を返却する際に、サービスセンター等へ出向いてオフラインの処理、すなわち、写真やシールにプリントアウトを依頼することで入手することができる。また、レンタルユーザが写真プリント自動販売機１０７に直接、レンタルしたカメラ付Ｗｅｂ対応携帯電話１００を接続して画像を読み込み、写真に印刷するようにしてもよい。また、電子メールで画像を送信して、当該電子メールから画像情報を取得して、この画像を写真に印刷してもよいし、画像データベースサーバ１０５の画像を選択し、写真に印刷してもよい。
【０１０５】
なお、前記画像は、図１および図３に示す画像変換サーバ１０４に格納されたプログラムにより、例えば、取得した画像情報をＪＰＥＧ−ＧＩＦ間等のフォーマット変換、画像の輪郭補正、サイズ変換等の必要な補正を行なうことができる。
【０１０６】
例えば、前記輪郭補正の場合、前記画像変換サーバ１０４に、図１０に示すようにな画像入力部１７０、画像フーリエ変換部１７１、ローパスフィルタ部１７２、画像出力部１７３を設け、これらの各部において、解像度が低く、粗い画像を周波数分解して周波数の高い成分をカットする補正をかけることで、この補正前の画像の輪郭のギザギザとしたラインが平滑かされ、輪郭の滑らかな画像とすることができる。この補正後の画像は、前述のようにバックアップも兼ねた画像データベースサーバ１０５ｂに格納しておき、レンタルユーザが補正処理後の画像のプリンタ出力を望むような場合には、当該補正後の画像を写真として印刷するサービスを行うこともできる。
【０１０７】
５）着信情報管理サービス
前記レンタルユーザは、旅行中、出張中に、自国内で利用していた自分の携帯通信端末装置等を含む所定の携帯通信端末装置への通話やメールの着信情報を当該カメラ付Ｗｅｂ対応携帯電話１００等から簡単に入手できる。
【０１０８】
図１１は本発明の前記着信データの管理方法を実施し、着信情報管理装置２００を用いて着信情報を入手することを可能とするシステム構成の１例を示している。図１１においては、所定の携帯通信端末装置の１例としてユーザーが自分の携帯通信端末装置２０１への通話やメールの着信情報を入手する場合を示している。
【０１０９】
この着信情報管理装置２００はルータ２０２を介してインターネットＩＮと接続されるようにされており、ＣＴＩサーバ２０３を通して電話回線と接続され、メールコントロールを行うメールサーバ２０４、インターネットＩＮ上の情報コントロールを行うＷｅｂサーバ２０５、着信や受信を監視する着信および受信メール監視サーバ２０６を備えている。
【０１１０】
このように形成されている着信情報管理装置２００に対して携帯通信端末装置２０１のユーザーは、携帯通信端末装置２０１からＣＴＩサーバ２０３に対して着信を転送するように設定したり、携帯通信端末装置２０１を着信情報管理装置２００の管理者に預けて着信および受信メール監視サーバ２０６に接続させて着信および受信メールを受けたことを直に情報伝達するようにされる。
【０１１１】
なお、前記携帯通信端末装置２０１は、前述のようにして通話やメールの着信を監視するプログラム（以下、「着信及び受信メール監視ソフト」という）を格納し、前記プログラムを実行するユーザ所有のパソコンに接続しておいてもよい。  さらに、携帯通信端末装置２０１内に直接、前記着信及び受信メール監視ソフトを格納してもよい。その場合は、前記携帯通信端末装置２０１には、通話や電子メールなどの電話信号を着信した場合に、着信信号から発信者を示す情報を取得する着信信号取得部と、前記着信信号取得部から前記発信者を示す情報を取得して着信履歴データを作成する着信履歴作成部と、前記着信履歴作成部で作成された着信履歴データを、予め定められた出力先へ出力する着信履歴データ出力部とが備わることになる。
【０１１２】
第１実施例：
図１２に示す着信情報管理装置２００ａにおいては、携帯通信端末装置２０１のユーザーが例えば海外に行く際に、携帯通信端末装置２０１を国内において転送設定することとし、転送先を所定（本実施例においては着信情報管理装置２００）のＣＴＩサーバ２０３の電話番号に設定しておく。
【０１１３】
本実施例の着信情報管理装置２００ａは、電話会社１、２…等の複数（ｎ本）の電話回線を介して発信者電話信号を取得する電話回線入力部２０７と、発信者電話信号から発信者情報を取得する発信者情報取得部２０８と、電話の転送を依頼したユーザのデータが格納され、発信者情報取得部２０８が取得した発信者情報のうちユーザを特定する情報を取得するユーザデータ格納部２０９と、発信者情報のうち発信者を特定する情報を発信者情報取得部２０８から取得するとともに特定されたユーザのデータをユーザデータ格納部２０９から取得して、着信履歴データを作成する着信履歴データ作成部２１０と、着信履歴データ作成部２１０において作成された着信履歴データを外部へ出力する着信履歴データ出力部２１１とを有している。この着信履歴データ出力部２１１は着信履歴データの格納場所を特定する格納場所特定部２１２と、着信履歴をメール送信するメール送信部２１３とを備えている。格納場所特定部２１２からはＷｅｂサーバ２０５に対して着信履歴として、着信日時、着信電話番号（発信電話番号と同じ）等の情報が伝達される。Ｗｅｂサーバ２０５からは、例えば図１３に示すようにして、ユーザー名とともに着信情報が着信情報管理装置２００が管理するＨＰに掲載される。
【０１１４】
次に、本実施例の作用を説明する。
【０１１５】
例えば、国内において携帯通信端末装置２０１に知人から電話がかかると、予め設定しているように着信情報管理装置２００のＣＴＩサーバ２０３の電話番号に着信が転送される。これを受けてＣＴＩサーバ２０３においては、電話回線入力部２０７が電話をかけてきた知人の電話番号を複数（ｎ本）の電話回線の１本を介して発信者電話信号として取得する。その後発信者情報取得部２０８が発信者電話信号から発信者情報等を取得してユーザデータ格納部２０９および着信履歴データ作成部２１０に送る。
【０１１６】
一方のユーザデータ格納部２０９は発信者情報取得部２０８が取得した発信者情報等に基づいて電話の転送を依頼したユーザのデータより当該発信者情報に合致するユーザを特定する情報を取得する。このとき、転送を依頼した人と電話回線入力部の前記電話回線の１本とが１対１に対応付けされる。この対応関係についての情報も前記ユーザデータ格納部２０９に格納される。なお、このときに電話回線をダイヤルイン回線とすれば、発信者情報等の中に着信ダイヤルイン番号が入るので、この番号を以て転送依頼ユーザを特定することもできる。この場合、実電話回線の本数を減らせるというメリットがある。
【０１１７】
他方の着信履歴データ作成部２１０は、発信者を特定する情報を発信者情報取得部２０８から取得するとともに特定されたユーザのデータをユーザデータ格納部２０９から取得して、着信履歴データを作成して着信履歴データ出力部２１１へ送る。この着信履歴データ出力部２１１においては、格納場所特定部２１２が着信履歴データの格納場所を特定するとともに、Ｗｅｂサーバ２０５に対して着信履歴として、着信日時、着信電話番号（発信電話番号と同じ）等の情報を伝達する。これにより、例えば図１３に示すようにして、ユーザー名とともに着信情報がＷｅｂサーバ２０５のＨＰで閲覧できる。さらに、着信履歴データ出力部２１１においては、同時にメール送信部２１３が着信履歴をメール送信する。
【０１１８】
従って、携帯通信端末装置２０１のユーザーは、国内および海外のどこにいても、インターネットＩＮに接続可能な通信機器（携帯通信端末装置、パソコン、ノートパソコン、ＰＤＡ９を利用して着信情報管理装置２００ａが管理するＨＰにアクセスし、ユーザーＩＤおよびパスワード等の接続のための必須条件を入力して図１３のページを開いて、自己の携帯通信端末装置２０１への着信の有無を確認することができる。また、メール送信部２１３によって指定されているメール送信機器により着信履歴メール確認することもできる。
【０１１９】
第２実施例：
図１４に示す本実施例の着信情報管理装置２００ｂにおいては、携帯通信端末装置２０１のユーザーが例えば海外に行く際に、携帯通信端末装置２０１を着信情報管理装置２００ｂに預けておくものとする。
【０１２０】
本実施例の着信情報管理装置２００ｂは、預かった携帯通信端末装置２０１を着信および受信メール監視サーバ２０６に接続している。この着信および受信メール監視サーバ２０６においては、携帯通信端末装置２０１が着信した場合に、携帯通信端末装置２０１から発信者を特定する情報を取得する着信信号取得部２１４と、着信の監視を依頼したユーザのデータが格納されたユーザデータ格納部２１５と、発信者情報等のうち発信者を特定する情報を着信信号取得部２１４から取得して、着信履歴データを作成する着信履歴データ作成部２１６と、着信履歴データ作成部２１６で作成された着信履歴データを携帯通信端末装置２０１に対応した出力先へ出力する着信履歴データ出力部２１７とを有している。この着信履歴データ出力部２１７は着信履歴データの格納場所を特定する格納場所特定部２１８と、着信履歴をメール送信するメール送信部２１９とを備えている。格納場所特定部２１８からはＷｅｂサーバ２０５に対して着信履歴として、着信日時、着信電話番号（発信電話番号と同じ）等の情報が伝達される。これにより、例えば図１３に示すようにして、ユーザー名とともに着信情報をＷｅｂサーバ２０５のＨＰで閲覧できる。
【０１２１】
次に、本実施例の作用を説明する。
【０１２２】
例えば、国内において携帯通信端末装置２０１に知人から電話がかかると、当該携帯通信端末装置２０１は着信を確認した後に、電話着信信号を着信情報管理装置２００ｂの着信信号取得部２１４へ出力する。これを受けて着信信号取得部２１４が電話着信番号から発信者情報等を取得してユーザデータ格納部２１５および着信履歴データ作成部２１６に送る。一方のユーザデータ格納部２１５は着信信号取得部２１４が取得した発信者情報等に基づいてユーザを特定する情報を取得する。他方の着信履歴データ作成部２１６は、発信者を特定する情報を着信信号取得部２１４から取得して、着信履歴データを作成して着信履歴データ出力部２１７へ送る。この着信履歴データ出力部２１７においては、格納場所特定部２１８が着信履歴データの格納場所を特定するとともに、Ｗｅｂサーバ２０５に対して着信履歴として、着信日時、着信電話番号（発信電話番号と同じ）等の情報を伝達する。これにより、例えば図１３に示すようにして、ユーザー名とともに着信情報をＷｅｂサーバ２０５のＨＰで閲覧できる。また、着信履歴データ出力部２１７においては、同時にメール送信部２１９が着信履歴をメール送信する。
【０１２３】
従って、携帯通信端末装置２０１のユーザーは、国内および海外のどこにいても、インターネットＩＮに接続可能な通信機器（携帯通信端末装置、パソコン、ノートパソコン、ＰＤＡを利用してＷｅｂサーバ２０５のＨＰにアクセスし、ユーザーＩＤおよびパスワード等の接続のための必須条件を入力して図１３のページを開いて、自己の携帯通信端末装置２０１への着信の有無を確認することができる。また、メール送信部２１９によって指定されているメール送信機器（海外においてレンタルした携帯電話等）により着信履歴メール確認することもできる。
【０１２４】
第３実施例：
図１５に示す本実施例の着信情報管理装置２００ｃにおいては、携帯通信端末装置２０１のユーザーが例えば海外に行く際に、携帯通信端末装置２０１を着信情報管理装置２００ｃに預けておくものとする。
【０１２５】
本実施例の着信情報管理装置２００ｃは、預かった携帯通信端末装置２０１を着信および受信メール監視サーバ２０６に接続している。この着信および受信メール監視サーバ２０６においては、携帯通信端末装置２０１のメールが着信した場合に、携帯通信端末装置２０１が電子メールを着信したことを示すメール着信信号を取得するメール着信信号取得部２２０と、メール着信信号取得部２２０がメール着信信号を取得した場合に、携帯通信端末装置２０１から電子メールデータを取得するメールデータ取得部２２１と、ユーザデータ格納部２２２と、発信者情報のうち発信者を特定する情報をメールデータ取得部２２１から取得するとともに、携帯通信端末装置２０１から取得した電子メールデータから着信メール履歴データを作成する着信メール履歴作成部２２３と、メールデータ取得部２２１が取得した電子メールデータを携帯通信端末装置２０１に対応した出力先へ出力する着信メール出力部２２４とを有している。この着信メール出力部２２４は着信メール履歴データの格納場所を特定する格納場所特定部２２５と、着信履歴をメール送信するメール送信部２２６とを備えている。格納場所特定部２２５はＷｅｂサーバ２０５に対して着信メール履歴として、着信日時、着信電話番号（発信電話番号と同じ）等の情報を伝達する。これにより、例えば図１３に示すページに準じ、着信メールのメールアドレスを日付、時刻とともに表示するようにすることで、ユーザー名とともに着信メールの情報をＷｅｂサーバ２０５のＨＰで閲覧できる。なお、携帯通信端末装置２０１においてメールが着信した場合に、メール着信信号が発信されない機種である場合には、前記メール着信信号取得部２２０は定期的に電子メールの着信があったかどうかを携帯通信端末装置２０１に問い合わせ、電子メールを着信している場合のみ、電子メールデータを取得するようにしてもよい。さらに、前記携帯通信端末装置２０１から自動的にメール着信信号が発信される機種である場合も、定期的に電子メールの着信があったかどうかを携帯通信端末装置２０１に問い合わせるようにしてもよい。
【０１２６】
次に、本実施例の作用を説明する。
【０１２７】
例えばユーザーが海外から自分の携帯通信端末装置２０１へ画像添付メールを送ると、当該携帯通信端末装置２０１はメールの着信を確認した後に、メール着信信号を着信情報管理装置２００ｃのメール信号取得部２２０へ出力する。これを受けてメール着信信号取得部２２０がメール着信信号を取得した場合に、携帯通信端末装置２０１から電子メールデータを取得するメールデータ取得部２２１と、メールデータ取得部２２１が発信者電話信号から発信者情報を取得してユーザデータ格納部２２２および着信メール履歴作成部２２３に送るとともに、メール着信信号取得部２２０がメール着信信号を取得した場合に、携帯通信端末装置２０１から電子メールデータを取得する。そして、前記携帯通信端末装置２０１から取得した電子メールデータから着信メール履歴データを作成して着信メール出力部２２４へ送る。この着信メール出力部２２４においては、格納場所特定部２２５が着信メール履歴データの格納場所を特定するとともに、Ｗｅｂサーバ２０５に対して着信履歴として、着信日時、着信電話番号（発信電話番号と同じ）等の情報を伝達する。これにより、例えば図１３に示すページに準じ、着信メールのメールアドレスを日付、時刻とともに表示するようにすることで、ユーザー名とともに着信メールの情報をＷｅｂサーバ２０５のＨＰで閲覧できる。そして、着信メール出力部２２４においては、同時にメール送信部２２６が着信履歴をメール送信する。
【０１２８】
従って、携帯通信端末装置２０１のユーザーは、国内および海外のどこにいても、インターネットＩＮに接続可能な通信機器（携帯通信端末装置、パソコン、ノートパソコン、ＰＤＡを利用して着信情報管理装置２００ｃが管理するＨＰにアクセスし、ユーザーＩＤおよびパスワード等の接続のための必須条件を入力して図１３のページを開いて、自己の携帯通信端末装置２０１への着信の有無を確認することができる。また、メール送信部２２６によって指定されているメール送信機器（海外においてレンタルした携帯電話等）により着信履歴メール確認することもできる。
【０１２９】
６）  その他：
また、レンタルするカメラ付Ｗｅｂ対応携帯電話１００本体、あるいは、当該カメラ付Ｗｅｂ対応携帯電話１００の待ち受け画面、ストラップなどに広告スペースを設け、ここに旅行先あるいは出張先の企業等から募った広告を掲載するサービスを、企業向けに別途提供することも可能である。
【０１３０】
なお、本発明は前記実施形態のものに限定されるものではなく、必要に応じて種々変更することが可能である。
【０１３１】
例えば、携帯通信端末装置のメールアドレスの発行・管理については、前述のコンテンツの提供サービスで例示したように、１台の携帯通信端末装置に対して、前記サーバ側のメールアドレスを複数用意し、同一の携帯通信端末装置からの画像メールの受信を許可するような設定としてもよいし、また、１つのサーバー側のメールアドレスに対し、複数の携帯通信端末装置からの画像メールの受信を許可するような設定としてもよい。これにより、１つの画像アルバムを複数人で共用することができるようになる。また、帰国後も当該サービスを継続して利用する契約をしておき、海外においてレンタルした携帯通信端末装置で利用した画像アルバムのサービスを、帰国後もそのまま、自分の携帯通信端末装置を以て利用するようなことも可能となる。
【０１３２】
また逆に、前記サーバ側のメールアドレスと携帯通信端末装置のメールアドレスとを１対１に限定して対応させるようにしてもよい。例えば、海外でレンタルした携帯通信端末装置からしか、画像アルバムへの画像の送信を利用させないように制限することができる。
【０１３３】
また、前記実施形態及び実施例においては、インターネットを利用したネットワークを以て説明したが、前記インターネットによらず、専用線又はＶＰＮ（Ｖｉｒｔｕａｌ  Ｐｒｉｖａｔｅ  Ｎｅｔｗｏｒｋ）を用いてネットワークを構成してもよい。
【０１３４】
さらに、前述の実施形態および実施例においては、前述の着信情報管理装置を携帯通信端末装置に用いた場合を以て説明したが、前記着信情報管理装置は、携帯通信端末装置への使用に限らず、固定式の通信端末装置においても使用できることはいうまでもない。
【０１３５】
【発明の効果】
以上述べたように、本発明の携帯通信端末装置の通信データの管理方法によれば、画像を作成する携帯通信端末装置の通信方法に関する規格の如何、あるいは、前記携帯通信端末装置の電話会社のサービス圏の如何に関わらず、インターネット上に画像を一律に管理することができ、前記画像へのアクセスの権限を有する者は前記インターネット上の前記画像の格納場所（アドレス）にアクセスすれば前記画像を閲覧し、使用することができるので、便利である。
【０１３６】
また、使用を留保している状態の携帯通信端末装置への通話や電子メールの着信情報をインターネット上で管理することができ、前記着信情報へのアクセスの権限を有する者は前記インターネット上の前記着信情報の格納場所（アドレス）にアクセスすれば前記着信情報を閲覧することができるので、便利である。
【０１３７】
そして、このように画像情報を管理することにより、高精細でファイルの容量が大きい画像であるために、直接、携帯通信端末装置間で送受信できず、閲覧が不可とされていた画像であっても、本発明の携帯通信端末装置の通信データの管理方法によれば、前記画像をインターネット上で管理することにより、閲覧可能となる。
【０１３８】
また、特定の文字種を画像情報として処理することで、前記文字種を文字情報としては使用（表示）不可能とする携帯通信端末装置においても、前記文字種を含む情報を、当該携帯通信端末装置のＷｅｂ機能を用いることにより閲覧することができるようになるし、従来のいわゆる「文字化け」の問題も解消することができる。
【０１３９】
さらに、本発明の電子メールサーバ装置によれば、画像情報を含む電子メールから確実に画像のみを抽出し、インターネット上にアクセス可能に管理することができ、しかも、その画像情報を含む電子メールを送信する携帯通信端末装置の通信方法に関する規格の如何にとらわれることがない。
【０１４０】
そして、本発明の携帯通信端末装置の自動操作装置によれば、カメラ機能を有する携帯通信端末装置で作成した画像を、煩雑な携帯通信端末装置のキー操作を簡略化して、所望の送信先に送信することができるので、便利である。
【０１４１】
さらに、本発明の着信情報管理装置によれば、携帯通信端末装置のレンタルユーザにとっては、その旅行中に自国内で利用していた自分の携帯通信端末装置への通話やメールの着信情報をレンタルした前記携帯通信端末装置等から簡単に入手できるので、便利である。
【０１４２】
また、本発明の記録媒体によれば、所望のパソコンに前記記録媒体に含まれるプログラムを格納し実行することで、前記着信情報管理装置と同等の作用を得ることができる。
【０１４３】
さらにまた、本発明の通信端末装置によれば、前記プログラムの機能が既に搭載されているので、例えば、自分の携帯通信端末装置への通話やメールの着信情報をレンタルした前記携帯通信端末装置等から簡単に入手できるので、便利である。
【図面の簡単な説明】
【図１】本発明の実施形態である、画像通信データの管理方法を実施するシステムの一例を示す構成図
【図２】ユーザ登録画面の一例を示す説明図
【図３】前記画像通信データの管理方法におけるシステムの要部を示す構成図
【図４】電子メールサーバ装置（電子データ受信サーバ）の第１実施例を示すブロック図
【図５】図４の第１実施例の電子メールサーバ装置（電子データ受信サーバ）の改良型を示すブロック図
【図６】電子メールサーバ装置（電子データ受信サーバ）の第２実施例を示すブロック図
【図７】画像アルバムの展開を示す説明図
【図８】携帯通信端末装置の自動操縦装置における処理フロー図
【図９】コンテンツのＨＰの展開を示す説明図
【図１０】画像変換サーバの構成を示す説明図
【図１１】本発明の実施形態である、着信データの管理方法を実施するシステムの一例を示す構成図
【図１２】着信情報管理装置の第１実施例を示すブロック図
【図１３】着信履歴のＨＰの一例を示す図
【図１４】着信情報管理装置の第２実施例を示すブロック図
【図１５】着信情報管理装置の第３実施例を示すブロック図
【符号の説明】
１００  カメラ付Ｗｅｂ対応携帯電話
１０１  カスタマーセンタ
１０３  画像データ受信サーバ
１０４  画像変換サーバ
１０５画像データベースサーバ
１０６  データベースサーバ
１０７  写真プリント自動販売機
１０８  端末パソコン
１０９  電子メールサーバ装置
１２０  （携帯電話会社の）サーバ
１３０  メール受信部
１３１  ＨＰアドレス情報取得部
１３２  ＨＰ情報取得部
１３３  画像アドレス情報取得部
１３４  画像情報取得部
１３５  画像格納部
１３６  画像取得部
１３７  ユーザデータ格納部
１４０  添付画像取得部
１４１  メール識別部
１５０バックアップサーバ
１６０  ＧＡＰ
１６１  コネクタ部
１７０  画像入力部
１７１  画像フーリエ変換部
１７２  ローパスフィルタ部
１７３  画像出力部
２００  着信情報管理装置
２０１  携帯通信端末装置
２０３  ＣＴＩサーバ
２０４  メールサーバ
２０５  Ｗｅｂサーバ
２０６  受信メール監視サーバ
２０７  電話回線入力部
２０８  発信者情報取得部
２０９、２１５、２２２  ユーザデータ格納部
２１０、２１６  着信履歴データ作成部
２１１、２１７  着信履歴データ出力部
２１２、２２５  格納場所特定部
２１３、２２６  メール送信部
２１４  着信信号取得部
２２０  メール着信信号取得部
２２１  メールデータ取得部
２２３  着信メール履歴作成部
２２４  着信メール出力部
【図１】
2004318292.tif 000003
【図２】
2004318292.tif 000004
【図３】
2004318292.tif 000005
【図４】
2004318292.tif 000006
【図５】
2004318292.tif 000007
【図６】
2004318292.tif 000008
【図７】
2004318292.tif 000009
【図８】
2004318292.tif 000010
【図９】
2004318292.tif 000011
【図１０】
2004318292.tif 000012
【図１１】
2004318292.tif 000013
【図１２】
2004318292.tif 000014
【図１３】
2004318292.tif 000015
【図１４】
2004318292.tif 000016
【図１５】
2004318292.tif 000017